(57)【要約】【課題】履物の脱ぎ履きを補助しつつ歩行者の通行を妨げにくい椅子を提供する。【解決手段】椅子２０は、床面（土間１２、室内床１４）に立設された脚部２２Ａ、２２Ｂと、脚部２２Ａ、２２Ｂに支持された座部２４と、座部２４の下方の収納位置から収納位置の前方の使用位置へ直線状にスライドする履物台４０と、脚部２２Ａに固定され、履物台４０の移動を案内するスライドレール３０と、を備えている。【選択図】図１
2018187285.tif 000002
【特許請求の範囲】
【請求項１】
床面に立設された脚部と、
前記脚部に支持された座部と、
前記座部の下方の収納位置から前記収納位置の前方の使用位置へ直線状に移動可能な履物台と、
前記脚部に固定され、前記履物台の移動を案内するスライド機構と、
を備えた椅子。
【請求項２】
前記スライド機構は、前記脚部に固定された第１レールと、前記履物台に固定され前記第１レールに沿って摺動可能な第２レールと、を備えたスライドレールを有する、請求項１に記載の椅子。
【請求項３】
前記履物台の上面にはスライド方向の先端に突起が設けられている、請求項１又は請求項２に記載の椅子。
【発明の詳細な説明】
【技術分野】
【０００１】
本発明は、椅子に関する。
【背景技術】
【０００２】
下記特許文献１には、土間と室内床との間に式台床を配設し、さらに式台床の上方にベンチを配設した玄関が記載されている。これにより、高齢者などが玄関に入ってベンチに腰を下ろし、履物を脱ぎ、式台床に上がり、立ち上がって室内床に上がるという一連の動作を容易に行うことができる。
【先行技術文献】
【特許文献】
【０００３】
【特許文献１】特開２００９−２５７０２９号公報
【発明の概要】
【発明が解決しようとする課題】
【０００４】
上記特許文献１に記載された玄関によれば、ベンチを利用する高齢者などは玄関における履物の脱ぎ履きがスムーズにできる一方、式台床が玄関に固定されているため、ベンチを使用しない歩行者にとっては通行の妨げになる。
【０００５】
本発明は上記事実を考慮して、履物の脱ぎ履きを補助しつつ歩行者の通行を妨げにくい椅子を提供することを目的とする。
【課題を解決するための手段】
【０００６】
第１態様の椅子は、床面に立設された脚部と、前記脚部に支持された座部と、前記座部の下方の収納位置から前記収納位置の前方の使用位置へ直線状に移動可能な履物台と、前記脚部に固定され、前記履物台の移動を案内するスライド機構と、を備えている。
【０００７】
第１態様の椅子は履物台を備えており、この履物台は座部の下方の収納位置から収納位置の前方の使用位置へ移動できる。このため、椅子の座部に腰掛けた人は履物台を使用位置に移動させ、履物台の上に脚をおいて履物を脱ぎ履きできる。これにより、履物台がない場合と比較して座部と履物との位置が近くなり、履物を脱ぎ履きしやすい。また、履物台は座部の下方の収納位置へスライドして収納することができるため、椅子を使用しない際に履物台が通行の妨げになりにくい。
【０００８】
第２態様の椅子は、前記スライド機構は、前記脚部に固定された第１レールと、前記履物台に固定され前記第１レールに沿って摺動可能な第２レールと、を備えたスライドレールを有する。
【０００９】
第２態様の椅子は、スライド機構が、第１レール及び第２レールが互いに摺動するスライドレールによって形成されている。これにより、履物台をスライドさせる際にがたつきが生じにくい。
【００１０】
第３態様の椅子は、前記履物台の上面にはスライド方向の先端に突起が設けられている。
【００１１】
第３態様の椅子は、履物台の上面に突起が設けられている。この突起につま先を引っ掛けることで脚を前方へ蹴りだす力を履物台へ伝達できる。このため、突起がない場合と比較して、履物台を収納位置から使用位置へ引き出しやすい。
【発明の効果】
【００１２】
第１態様の椅子は、履物の脱ぎ履きを補助しつつ歩行者の通行を妨げにくい。
【００１３】
第２態様の椅子によると、履物台をスムーズにスライドさせることができる。
【００１４】
第３態様の椅子によると、小さい力で履物台を収納位置から使用位置へ引き出せる。
【図面の簡単な説明】
【００１５】
【図１】（Ａ）は本発明の実施形態に係る椅子を示した正面図であり、（Ｂ）は（Ａ）におけるＢ−Ｂ線断面図であり、（Ｃ）は（Ａ）におけるＣ−Ｃ線断面図である。
【図２】（Ａ）は本発明の実施形態に係る椅子において脚部と履物台とスライドレールとの連結状態を示した部分拡大断面図であり、（Ｂ）は履物台の先端部の形状を示した部分拡大立面図である。
【図３】（Ａ）は本発明の実施形態に係る椅子において使用位置で履物台の上面が水平面と平行になるようにキャスターの高さを調整した変形例を示す立断面図であり、（Ｂ）は使用位置及び収納位置の双方で履物台の上面が水平面と平行になるようにキャスターの高さを調整した変形例を示す立断面図である。
【発明を実施するための形態】
【００１６】
（玄関）
本実施形態に係る椅子２０は図１（Ａ）〜（Ｃ）に示すように、建物における玄関１０に設置される可動式ベンチである。玄関１０は、土足空間とされた土間１２と、土間１２から１段上がった位置に構成され、靴を脱いで歩行する室内床１４と、を備えている。土間１２と室内床１４との境界部分において室内床１４の先端部には、化粧材として框１６が敷設されている。この框１６は、土間１２からの高さが約１８０ｍｍとされている。
【００１７】
なお、本実施形態における建物は住戸とされているが、本発明の実施形態はこれに限らず、例えば学校、介護施設、公民館など各種の建物とすることができ、椅子２０が設置される場所も必ずしも玄関に限らず、椅子２０は勝手口や水廻りの段差部など各所に適宜設置することができる。
【００１８】
（椅子）
椅子２０は、玄関１０において框１６を跨いで配置され、土間１２及び室内床１４にそれぞれ立設された脚部２２Ａ、２２Ｂに、座部２４が固定されている。脚部２２Ａの長さは脚部２２Ｂの長さよりも長く形成されて土間１２と室内床１４との段差に対応するとともに、端部２２Ａの底部に設けられたアジャスター２６によって、高さの微調整が可能とされている。これにより、座部２４の上面を水平に調整することができる。
【００１９】
なお、本実施形態において座部２４の高さ（土間１２から座部２４の上面までの高さ）は約４８０ｍｍとされ、例えば座部の高さが３８０〜４３０ｍｍ程度の椅子と比べて、着席、離席がしやすい。
【００２０】
図１（Ｂ）に示すように、脚部２２Ａ、２２Ｂはそれぞれ座部２４の前端部２４Ｆから後端部２４Ｂに亘って形成された板状の支持脚であり、アジャスター２６は、脚部２２Ａにおいて前端部２２ＡＦ寄りの部分及び後端部２２ＡＢ寄りの部分の２箇所に設けられている。なお、脚部２２Ｂの底面には室内床１４の仕上げ材の傷付け抑制のため、緩衝シートなどが適宜設置される。
【００２１】
図２（Ａ）に示すように、アジャスター２６は脚部２２Ａの下端部に設けられた下地材２２ＡＥの内部に埋設された雌ネジ部材２６Ａと、雌ネジ部材２６Ａに羅合される雄ネジ部材２６Ｂと、を備えている。なお、脚部２２Ａは、雌ネジ部材２６Ａが埋設される下端部を含む４箇所（上端部、前端部、後端部）に配置された下地材２２ＡＥに、表面材を貼り合わせて形成されたフラッシュ構造の部材とされている。脚部２２Ｂ、座部２４も同様のフラッシュ構造の部材とされ、これにより椅子２０は、無垢材を用いる場合と比較して軽量化されている。
【００２２】
（履物台）
図１（Ａ）〜（Ｃ）に示すように、脚部２２Ａには、スライド機構としてのスライドレール３０を介して履物台４０が連結されている。スライドレール３０は、図１（Ｂ）に示すように軸方向が座部２４の前後方向（前端部２４Ｆから後端部２４Ｂに向かう方向に沿った方向）かつ脚部２２Ａ、２２Ｂの前後方向と一致するように設置されており、図２（Ａ）に示すように脚部２２Ａに固定された第１レール３２と、履物台４０に固定され第１レール３２に沿って摺動する第２レール３４と、を備えている。第１レール３２と第２レール３４との間にはベアリング３６及びベアリング３６の保持機構（不図示）が介装されている。
【００２３】
スライドレール３０は、履物台４０が、図１（Ｂ）に実線で示す収納位置と、二点鎖線で示す使用位置との間を直線状に移動するガイド機構であり、この収納位置及び使用位置において、履物台４０を仮固定する。
【００２４】
なお仮固定とは、履物台４０を停止状態から動かす際に、他の位置（収納位置及び使用位置以外の位置）において停止状態から動かす場合よりも強い力が必要である状態を示している。これにより履物台４０は、収納位置及び使用位置においては、他の位置にある場合よりも動かし難くなり、状態が安定する。また、スライドレール３０の耐荷重（鉛直方向の耐荷重）は、履物台４０の自重及び座部２４に腰掛けた利用者が脚を載置した際の荷重を合計したものに、適宜安全率を考慮して設定されている。
【００２５】
履物台４０において、スライドレール３０と反対側の底面には、キャスター５０が設けられている。キャスター５０は、履物台４０の自重及び履物台４０に載置される利用者の脚の荷重を支持する支持機構であり、また、履物台４０が収納位置と使用位置との間をスムーズに移動できるように補助する補助機構である。なお、本実施形態において、履物台４０の高さ（土間１２から履物台４０の上面までの高さ）は約８０ｍｍとされている。
【００２６】
図２（Ｂ）に示すように、履物台４０において、スライド方向の先端（収納位置において座部２４の前端部２４Ｆ側の先端、図１（Ｂ）参照）には、突起４２が設けられている。この突起４２は、履物台４０の先端部４０Ｆに沿って設けられており、椅子２０に腰掛けた利用者がつま先を引っ掛けて履物台４０を収納位置から使用位置へ引き出すために用いられる。
【００２７】
図１（Ｂ）には収納位置における履物台４０の状態が示されているが、ここに示されるように、履物台４０の先端部４０Ｆは収納位置において、座部２４の前端部２４Ｆよりも内側（後端部２４Ｂ寄り）に約６０ｍｍインセットされた位置に配置されている。
【００２８】
（作用・効果）
本実施形態における椅子２０は、図１（Ｂ）に示すように履物台４０を備えており、この履物台４０は座部２４の下方の収納位置から収納位置の前方の使用位置へスライドできる。このため、椅子２０の座部２４に腰掛けた利用者は履物台４０を使用位置にスライドさせ、履物台４０の上に脚をおいて履物を脱ぎ履きできる。これにより、履物台４０がない場合と比較して座部２４と履物の位置が近くなり、履物を脱ぎ履きしやすい。
【００２９】
なお、椅子２０を用いないで履物を脱ぎ履きする場合は、立ったまま脱ぎ履きするか、あるいは框１６に腰掛けて脱ぎ履きする必要がある。高齢者などにとって立ったまま履物を脱ぎ履きすることは、一般的に椅子２０に座った状態で履物を脱ぎ履きするよりも困難である。また、框１６に腰掛けたり立ったりすることは、椅子２０に腰掛けたり立ったりする場合よりも腰の鉛直方向の移動距離が大きくなるため、一般的に困難である。
【００３０】
また、本実施形態における椅子２０において、履物台４０は座部２４の下方の収納位置へスライドして収納することができるため、椅子２０を使用しない際に履物台４０が通行の妨げになりにくい。
【００３１】
さらに、収納位置において履物台４０の先端部４０Ｆは、座部２４の前端部２４Ｆよりも内側（後端部２４Ｂ寄り）にインセットされた位置に配置されている。このため、椅子２０に腰掛けた利用者が立ち上がるために力を入れやすい角度に膝を折り曲げた際に、利用者の踵と履物台４０とが干渉しにくい。
【００３２】
また、本実施形態における椅子２０においては、履物台４０はスライドレール３０によってスライドする。このスライドレール３０は図２（Ａ）に示すように、脚部２２Ａに固定された第１レール３２と、履物台４０に固定され第１レール３２に沿って摺動する第２レール３４と、を備え、第１レール３２と第２レール３４との間にはベアリング３６及びベアリング３６の保持機構（不図示）が介装されている。
【００３３】
このため、履物台４０は左右（図２（Ａ）における矢印Ｌ方向及びＲ方向）に対するがたつきが生じにくく、スライド軌道が安定している。
【００３４】
また、本実施形態における椅子２０においては、図２（Ｂ）に示すように、履物台４０の上面に突起４２が設けられている。椅子２０に腰掛けた利用者は、この突起４２につま先を引っ掛けることで脚を前方へ蹴りだす力を履物台４０へ伝達できる。このため、突起４２がない場合と比較して、履物台４０を収納位置から使用位置へ引き出しやすい。
【００３５】
なお、この突起４２は必ずしも設ける必要はない。突起４２を設けなくても、利用者はつま先に力を込める事で履物台４０を引き出すことができる。あるいは突起４２に代えて、例えば履物台４０の先端部４０Ｆに沿った上面を粗面加工（滑り止めシートの敷設など）してもよい。このようにしても利用者のつま先の力を履物台４０に伝えやすくできる。
【００３６】
また、本実施形態においてキャスター５０は、図１（Ｃ）に示すように履物台４０におけるスライド前後方向の中央部に１つ設けられているが、本発明の実施形態はこれに限らない。例えばキャスター５０は、履物台４０におけるスライド前後方向の後方及び前方にそれぞれ１つ、すなわち合計２つ設けてもよい。また、適宜３つ以上設けてもよい。このようにキャスター５０の数を増やすことで、履物台４０にかかる荷重が分散されるので履物台４０の安定性が向上する。
【００３７】
また、本実施形態において土間１２には図示しない水勾配が玄関口に向けて設けられており、キャスター５０は水勾配に沿って移動する。このため履物台４０は収納位置からスライド移動した使用位置において水勾配に沿って傾斜するが本発明の実施形態はこれに限らない。
【００３８】
例えば図３（Ａ）、（Ｂ）には土間１２の水勾配を誇張して描いているが、このうち図３（Ａ）に示す履物台４０のように、使用位置（２点鎖線）において履物台４０の上面４０Ｔが水平面Ｈと平行になるようにキャスター５２の高さを調整してもよい。このようにすることで、利用者は履物を脱ぎ履きしやすい。
【００３９】
または、図３（Ｂ）に示す履物台４０のように、使用位置（２点鎖線）と収納位置（実線）の双方において履物台４０の上面４０Ｔが水平面Ｈと平行になるように、キャスター５４の高さを調整してもよい。このキャスター５４は、略鉛直方向に伸びるように付勢されたスプリング５４Ｓによって、使用位置で履物台４０の上面４０Ｔが水平面Ｈと平行になるように調整されている。またスプリング５４Ｓは、収納位置で履物台４０の上面４０Ｔが水平面Ｈと平行になるように縮められるが、座部２４の底面に取付けられ、履物台４０の上面４０Ｔの絶対高さを規制する規制キャスター５６によって、このスプリング５４Ｓは伸縮される。
【００４０】
また、本実施形態において椅子２０の脚部２２Ｂの長さは脚部２２Ａの長さよりも短く形成されて土間１２と室内床１４との段差に対応しているが、本発明の実施形態はこれに限らない。例えば図１（Ａ）に二点鎖線で示す脚部２２Ｃのように脚部２２Ａと長さを揃えて形成してもよい。この場合、椅子２０を框１６を跨がず土間１２部分のみに配置することで座部２４を水平に保持することができる。
【００４１】
また、本実施形態において履物台４０のスライド機構としてスライドレール３０を用いているが、本発明の実施形態はこれに限らない。例えばギアとラックを組み合わせたスライド機構を用いてもよいし、戸車とレールを組み合わせたスライド機構を用いてもよい。このように、本実施形態に係る椅子は様々な態様を組み合わせて実施することができる。
【符号の説明】
【００４２】
１２    土間（床面）
１４    室内床（床面）
２２Ａ  脚部
２２Ｂ  脚部
２４    座部
４０    履物台
３０    スライドレール（スライド機構）
３２    第１レール
３４    第２レール
４２    突起
【図１】
2018187285.tif 000003
【図２】
2018187285.tif 000004
【図３】
2018187285.tif 000005